(57)【要約】【課題】  緊急警報信号が発せられたことを確実に報知する手法を提供する。【解決手段】  映像信号及び音声信号を含み、更に緊急警報信号を含むことが可能な放送信号を受信して、当該放送信号に含まれる映像信号及び音声信号に基づく映像及び音声を出力するテレビ受像機１００と、このテレビ受像機１００から送信される信号を受信可能な遠隔操作機２００と、を備えたテレビ受像機システム１である。テレビ受像機１００は、受信した放送信号が緊急警報信号を含む場合に、緊急警報信号が放送信号に含まれていたことを表す警報通知信号を出力する。遠隔操作機２００は、テレビ受像機１００から出力された警報通知信号を受信して、ユーザに緊急警報信号が発せられたことを報知する。テレビ受像機１００と遠隔操作機２００とは、所定の周波数の電波による無線通信により警報通知信号を送受信する。【選択図】      図１
2006135789.tif 000002
【特許請求の範囲】
【請求項１】
映像信号及び音声信号を含み且つ緊急警報信号を含むことが可能な放送信号を受信して、前記映像信号及び前記音声信号に基づく映像及び音声を出力可能なテレビ受像機と、このテレビ受像機から送信される信号を受信可能な緊急警報報知装置と、を備えた緊急警報信号受信システムであって、
前記テレビ受像機は、
前記放送信号に前記緊急警報信号が含まれているか否かを監視して、含まれている場合に当該緊急警報信号を抽出する緊急警報信号抽出手段と、
前記警報通知信号を前記緊急警報報知装置へ出力する第１無線送受信手段と、
前記緊急警報信号抽出手段が前記緊急警報信号を抽出すると前記第１無線送受信手段に前記警報通知信号を出力させる第１制御手段と、を備えており、
前記緊急警報報知装置は、
前記テレビ受像機から送信された前記警報通知信号を受信する第２無線送受信手段と、
ユーザに前記緊急警報信号が発せられたことを報知する報知手段と、
前記第２無線送受信手段が前記警報通知信号を受信すると、前記報知手段に緊急警報信号が発せられたことを報知させる第２制御手段と、を備えており、
前記第１無線送受信手段と前記第２無線送受信手段とが、所定の周波数の電波を用いた無線通信により前記警報通知信号を送受信するように構成されたことを特徴とする、
緊急警報信号受信システム。
【請求項２】
前記報知手段は、発光手段、発音手段、及び自装置を振動させる振動手段のうち少なくとも一つにより構成されており、発光、発音、及び自装置の振動の少なくとも一つにより、前記緊急警報信号が発せられたことを報知するようになっている、
請求項１記載の緊急警報信号受信システム。
【請求項３】
前記緊急警報報知装置は、前記ユーザが操作することで当該操作内容を表す操作指示信号を生成するとともに、この操作指示信号を前記テレビ受像機に前記無線通信により送信するように構成されており、
前記テレビ受像機は、前記操作指示信号を受信すると、この操作指示信号が表す操作内容に応じた処理を実行するように構成されている、
請求項１記載の緊急警報信号受信システム。
【請求項４】
前記緊急警報報知装置は、複数設けられており、
前記テレビ受像機は、緊急警報報知装置毎に異なる、各緊急警報報知装置固有の周波数の電波を用いて無線通信を行うように構成されている、
請求項３記載の緊急警報信号受信システム。
【請求項５】
前記緊急警報報知装置が複数設けられて、各緊急警報報知装置は、緊急警報報知装置毎に異なる周波数の電波を用いて前記操作指示信号を送信するように構成されており、
前記テレビ受像機は、各緊急警報報知装置に同じ周波数の電波を用いて前記警報通知信号を送信するように構成されている、
請求項４記載の緊急警報信号受信システム。
【請求項６】
音声信号を含み且つ緊急警報信号を含むことが可能な放送信号を受信して、前記音声信号に基づく音声を出力可能なラジオ受信機と、このラジオ受信機から送信される信号を受信可能な緊急警報報知装置と、を備えた緊急警報信号受信システムであって、
前記ラジオ受信機は、
前記放送信号に前記緊急警報信号が含まれているか否かを監視して、含まれている場合に当該緊急警報信号を抽出する緊急警報信号抽出手段と、
前記警報通知信号を前記緊急警報報知装置へ出力する第１無線送受信手段と、
前記緊急警報信号抽出手段が前記緊急警報信号を抽出すると前記第１無線送受信手段に前記警報通知信号を出力させる第１制御手段と、を備えており、
前記緊急警報報知装置は、
前記ラジオ受信機から送信された前記警報通知信号を受信する第２無線送受信手段と、
前記ユーザに前記緊急警報信号が発せられたことを報知する報知手段と、
前記第２無線送受信手段が前記警報通知信号を受信すると、前記報知手段に緊急警報信号が発せられたことを報知させる第２制御手段と、を備えており、
前記第１無線送受信手段と前記第２無線送受信手段とが、所定の周波数の電波を用いた無線通信により前記警報通知信号を送受信するように構成されたことを特徴とする、
緊急警報信号受信システム。
【請求項７】
映像信号及び音声信号を含み且つ緊急警報信号を含むことが可能な放送信号を受信して、前記映像信号及び前記音声信号に基づく映像及び音声を出力可能であるとともに、受信した前記放送信号が前記緊急警報信号を含む場合に、当該緊急警報信号が前記放送信号に含まれていることを表す警報通知信号を出力するテレビ受像機から前記警報通知信号を受信する受信手段と、
ユーザに前記緊急警報信号が発せられたことを報知する報知手段と、
前記受信手段が前記警報通知信号を受信すると、前記報知手段に緊急警報信号が発せられたことを報知させる制御手段と、を備えており、
前記受信手段は、前記テレビ受像機との間で所定の周波数の電波を用いた無線通信を行うように構成されたことを特徴とする、
緊急警報報知装置。
【請求項８】
音声信号を含み且つ緊急警報信号を含むことが可能な放送信号を受信して、前記音声信号に基づく音声を出力可能であるとともに、受信した前記放送信号が前記緊急警報信号を含む場合に、当該緊急警報信号が前記放送信号に含まれていることを表す警報通知信号を出力するラジオ受信機から前記警報通知信号を受信する受信手段と、
ユーザに前記緊急警報信号が発せられたことを報知する報知手段と、
前記受信手段が前記警報通知信号を受信すると、前記報知手段に緊急警報信号が発せられたことを報知させる制御手段と、を備えて構成されており、
前記受信手段は、前記ラジオ受信機との間で所定の周波数の電波を用いた無線通信を行うように構成されたことを特徴とする、
緊急警報報知装置。
【請求項９】
映像信号及び音声信号を含み且つ緊急警報信号を含むことが可能な放送信号を受信して、前記映像信号及び前記音声信号に基づく映像及び音声を出力可能なテレビ受像機と、このテレビ受像機から送信される信号を受信可能な緊急警報報知装置と、を備えたシステムにより実行される方法であって、
前記テレビ受像機が、
受信した前記放送信号に前記緊急警報信号が含まれているか否かを監視する段階と、
前記監視により前記放送信号に前記緊急警報信号が含まれていることを検知した場合に、当該緊急警報信号が前記放送信号に含まれていることを表す警報通知信号を所定の周波数の電波を用いて出力する段階と、
前記緊急警報報知装置が、
前記テレビ受像機から出力された前記警報通知信号を受信する段階と、
前記警報通知信号の受信を契機に、ユーザに緊急警報信号が発せられたことを報知する段階と、を含む、
緊急警報信号の報知方法。
【請求項１０】
音声信号を含み且つ緊急警報信号を含むことが可能な放送信号を受信して、前記音声信号に基づく音声を出力可能なラジオ受信機と、このラジオ受信機から送信される信号を受信可能な緊急警報報知装置と、を備えたシステムにより実行される方法であって、
前記ラジオ受信機が、
受信した前記放送信号に前記緊急警報信号が含まれているか否かを監視する段階と、
前記監視により前記放送信号に前記緊急警報信号が含まれていることを検知した場合に、当該緊急警報信号が前記放送信号に含まれていることを表す警報通知信号を所定の周波数の電波を用いて出力する段階と、
前記緊急警報報知装置が、
前記ラジオ受信機から出力された前記警報通知信号を受信する段階と、
前記警報通知信号の受信を契機に、ユーザに緊急警報信号が発せられたことを報知する段階と、を含む、
緊急警報信号の報知方法。
【発明の詳細な説明】
【技術分野】
【０００１】
本発明は、テレビ局、ラジオ局等の放送局から放送信号に多重化されて発せられる緊急警報信号を受信して、ユーザに緊急警報信号が発せられたことを報知する技術に関する。
【背景技術】
【０００２】
地震や津波などの災害が発生した際に、そのような災害に関連する情報を迅速に取得することは非常に重要であり、情報の取得のタイミングによっては生死が分かれる場合すらある。現在、これらの災害が発生した際には、放送局を通じて緊急警報放送が行われている。緊急警報放送は専用の受信機構が必要であり、この受信機構を搭載したテレビ受像機も発売されている。緊急警報放送があると、テレビ受像機は、その内容を警報音及び映像（文字情報等）で提供するようになっている。またラジオ受信機の場合は、警報音、メッセージ等により、情報を提供するようになっている。
【０００３】
緊急警報放送は、最も普及している電気機器の一つであるテレビ受像機により利用可能であるために、例えば各家庭に防災無線装置や警報装置を設置することに比べて、非常にリーズナブルである。また、災害に関連する情報を映像及び音声で伝えることができるために、より詳細に災害情報を提供することができる。また、ラジオ受信機も比較的普及している電気機器であり、テレビ受像機よりも情報量が減るにしても、災害発生時の利便性は高い。
【発明の開示】
【発明が解決しようとする課題】
【０００４】
しかしながら現状を鑑みると、テレビ受像機、ラジオ受信機が、緊急警報放送を利用して災害情報を取得する手段として適切に活用されているとは言い難い。
例えば、緊急警報放送は、テレビ受像機の電源がオンになっている場合に、警報音、映像などの形態で災害情報を即座に提供することができるが、電源がオフになっている場合には災害情報を提供することができない。また、テレビ受像機から離れた場所では緊急警報放送があってもそれに気づかない場合もある。特に就寝中に緊急警報放送があっても、それに気づかずに災害情報を取得できず、様々な事態に陥ることも考えられる。このような問題は、ラジオ受信機においても同様である。
【０００５】
緊急警報放送に関し、社団法人電波産業会により策定された規格としてＢＴＡ  Ｒ−００１及びＡＲＩＢ  ＳＴＤ−Ｂ３２がある。前者は「緊急警報受信機に関する技術基準」に関する規格であり、後者は「デジタル放送における映像符号化、音声符号化及び多重化方式」に関する規格である。各規格の概要については、http://www.arib.or.jp/tyosakenkyu/kikaku_hoso/hoso_bta-r001.html、http://www.arib.or.jp/tyosakenkyu/kikaku_hoso/hoso_std-b032.htmlにおいて参照することができる。
【０００６】
上記規格を参照すると、放送局等から発せられる放送信号には緊急警報信号が多重化されていることが理解される。なお、「緊急警報信号」とは、ＡＲＩＢ  ＳＴＤ−Ｂ３２紹介のページに掲げてある用語説明によれば、「緊急警報放送（大規模地震の警戒宣言、津波警報が発せられたことの放送、災害対策基本法の規定により都道府県知事等から要請された放送）を行なうときに送出する信号」をいう。
【０００７】
本発明は、上記の問題に鑑み、緊急警報信号が発せられたことを、確実にユーザに対して報知する手法を提供することを課題とする。
【課題を解決するための手段】
【０００８】
上記課題を解決する本発明の緊急警報信号受信システムは、映像信号及び音声信号を含み且つ緊急警報信号を含むことが可能な放送信号を受信して、前記映像信号及び前記音声信号に基づく映像及び音声を出力可能なテレビ受像機と、このテレビ受像機から送信される信号を受信可能な緊急警報報知装置と、を備えた緊急警報信号受信システムである。前記テレビ受像機は、前記放送信号に前記緊急警報信号が含まれているか否かを監視して、含まれている場合に当該緊急警報信号を抽出する緊急警報信号抽出手段と、前記警報通知信号を前記緊急警報報知装置へ出力する第１無線送受信手段と、前記緊急警報信号抽出手段が前記緊急警報信号を抽出すると前記第１無線送受信手段に前記警報通知信号を出力させる第１制御手段と、を備えている。前記緊急警報報知装置は、前記テレビ受像機から送信された前記警報通知信号を受信する第２無線送受信手段と、ユーザに前記緊急警報信号が発せられたことを報知する報知手段と、前記第２無線送受信手段が前記警報通知信号を受信すると、前記報知手段に緊急警報信号が発せられたことを報知させる第２制御手段と、を備えている。前記第１無線送受信手段と前記第２無線送受信手段とが、所定の周波数の電波を用いた無線通信により前記警報通知信号を送受信するように構成される。
【０００９】
この緊急警報信号受信システムは、テレビ受像器を用いたシステムである。このような構成の緊急警報信号受信システムは、無線通信によりテレビ受像機と緊急警報報知装置とが通信を行うために、従来からある赤外線を使った通信よりも広範囲にわたって通信が可能となる。また、異なる部屋、異なるフロアーにテレビ受像機と緊急警報報知装置とが置かれている場合でも通信が可能になる。そのために、緊急警報信号が発せられたことを、ユーザは、テレビを見ていない場合でも知ることができるようになる。また、テレビ受像機本体の電源がオフで、映像、音声を出力していない場合でも、放送信号に緊急警報信号が含まれていれば、それに応じて警報通知信号を緊急警報報知装置に出力する。そのために、テレビ受像機の電源をオフにする就寝中でも、確実に緊急警報信号が発せられたことをユーザに対して報知することができるようになる。
【００１０】
この緊急警報信号受信システムにおいて、前記報知手段は、例えば発光、発音、自装置の振動の少なくとも一つにより、ユーザに、前記緊急警報信号が発せられたことを報知する。このような報知手段は、例えば発光手段、発音手段、及び自装置を振動させる振動手段のうち少なくとも一つを有している。
【００１１】
また緊急警報報知装置は、前記ユーザが操作することで当該操作内容を表す操作指示信号を生成するとともに、この操作指示信号を前記テレビ受像機に前記無線通信により送信するように構成されていてもよい。緊急警報報知装置がこのように構成される場合に、前記テレビ受像機は、例えば前記操作指示信号を受信すると、この操作指示信号が表す操作内容に応じた処理を実行するように構成される。これらテレビ受像器、緊急警報報知装置の構成は、従来のいわゆるテレビ受像機とリモコンとの関係と同様である。
【００１２】
前記緊急警報報知装置は、複数設けられていてもよい。この場合、前記テレビ受像機は、例えば、緊急警報報知装置毎に異なる、各緊急警報報知装置固有の周波数の電波を用いて無線通信を行ってもよい。また、各緊急警報報知装置が、緊急警報報知装置毎に異なる周波数の電波を用いて前記操作指示信号を送信するように構成されている場合には、前記テレビ受像機が、例えば、各緊急警報報知装置に同じ周波数の電波で前記警報通知信号を送信するように構成されていてもよい。
【００１３】
本発明の他の緊急警報信号受信システムは、音声信号を含み且つ緊急警報信号を含むことが可能な放送信号を受信して、前記音声信号に基づく音声を出力可能なラジオ受信機と、このラジオ受信機から送信される信号を受信可能な緊急警報報知装置と、を備えた緊急警報信号受信システムである。これは、ラジオ受信機を用いた場合の緊急警報信号受信システムの構成である。前記ラジオ受信機は、前記放送信号に前記緊急警報信号が含まれているか否かを監視して、含まれている場合に当該緊急警報信号を抽出する緊急警報信号抽出手段と、前記警報通知信号を前記緊急警報報知装置へ出力する第１無線送受信手段と、前記緊急警報信号抽出手段が前記緊急警報信号を抽出すると前記第１無線送受信手段に前記警報通知信号を出力させる第１制御手段と、を備えている。前記緊急警報報知装置は、前記ラジオ受信機から送信された前記警報通知信号を受信する第２無線送受信手段と、前記ユーザに前記緊急警報信号が発せられたことを報知する報知手段と、前記第２無線送受信手段が前記警報通知信号を受信すると、前記報知手段に緊急警報信号が発せられたことを報知させる第２制御手段と、を備えている。前記第１無線送受信手段と前記第２無線送受信手段とが、所定の周波数の電波を用いた無線通信により前記警報通知信号を送受信するように構成される。
【００１４】
本発明の緊急警報報知装置は、映像信号及び音声信号を含み且つ緊急警報信号を含むことが可能な放送信号を受信して、前記映像信号及び前記音声信号に基づく映像及び音声を出力可能であるとともに、受信した前記放送信号が前記緊急警報信号を含む場合に、当該緊急警報信号が前記放送信号に含まれていることを表す警報通知信号を出力するテレビ受像機から前記警報通知信号を受信する受信手段と、ユーザに前記緊急警報信号が発せられたことを報知する報知手段と、前記受信手段が前記警報通知信号を受信すると、前記報知手段に緊急警報信号が発せられたことを報知させる制御手段と、を備えており、前記受信手段は、前記テレビ受像機との間で所定の周波数の電波による無線通信を行うように構成される。これは、テレビ受像機を用いた場合の緊急警報報知装置である。
【００１５】
本発明の他の緊急警報報知装置は、音声信号を含み且つ緊急警報信号を含むことが可能な放送信号を受信して、前記音声信号に基づく音声を出力可能であるとともに、受信した前記放送信号が前記緊急警報信号を含む場合に、当該緊急警報信号が前記放送信号に含まれていることを表す警報通知信号を出力するラジオ受信機から前記警報通知信号を受信する受信手段と、ユーザに前記緊急警報信号が発せられたことを報知する報知手段と、前記受信手段が前記警報通知信号を受信すると、前記報知手段に緊急警報信号が発せられたことを報知させる制御手段と、を備えて構成されており、前記受信手段は、前記ラジオ受信機との間で所定の周波数の電波を用いた無線通信を行うように構成される。これは、ラジオ受信機を用いた場合の緊急警報報知装置である。
【００１６】
本発明の緊急警報信号の報知方法は、映像信号及び音声信号を含み且つ緊急警報信号を含むことが可能な放送信号を受信して、前記映像信号及び前記音声信号に基づく映像及び音声を出力可能なテレビ受像機と、このテレビ受像機から送信される信号を受信可能な緊急警報報知装置と、を備えたシステムにより実行される方法である。前記テレビ受像機が、受信した前記放送信号に前記緊急警報信号が含まれているか否かを監視する段階と、前記監視により前記放送信号に前記緊急警報信号が含まれていることを検知した場合に、当該緊急警報信号が前記放送信号に含まれていることを表す警報通知信号を所定の周波数の電波を用いて出力する段階と、前記緊急警報報知装置が、前記テレビ受像機から出力された前記警報通知信号を受信する段階と、前記警報通知信号の受信を契機に、ユーザに緊急警報信号が発せられたことを報知する段階と、を含む。これは、テレビ受像機を用いた場合の緊急警報信号の報知方法である。
【００１７】
本発明の他の緊急警報信号の報知方法は、音声信号を含み且つ緊急警報信号を含むことが可能な放送信号を受信して、前記音声信号に基づく音声を出力可能なラジオ受信機と、このラジオ受信機から送信される信号を受信可能な緊急警報報知装置と、を備えたシステムにより実行される方法である。前記ラジオ受信機が、受信した前記放送信号に前記緊急警報信号が含まれているか否かを監視する段階と、前記監視により前記放送信号に前記緊急警報信号が含まれていることを検知した場合に、当該緊急警報信号が前記放送信号に含まれていることを表す警報通知信号を所定の周波数の電波を用いて出力する段階と、前記緊急警報報知装置が、前記ラジオ受信機から出力された前記警報通知信号を受信する段階と、前記警報通知信号の受信を契機に、ユーザに緊急警報信号が発せられたことを報知する段階と、を含む。これは、ラジオ受信機を用いた場合の緊急警報信号の報知方法である。
【発明の効果】
【００１８】
以上のような本発明の緊急警報信号受信システムにより、ユーザに対して緊急警報信号が発せられたことを確実に報知することができるようになる。
【発明を実施するための最良の形態】
【００１９】
以下、図面を参照して本発明の実施形態を説明する。
図１は、本発明の緊急警報信号受信システムを用いたテレビ受像機システム１により、放送局２から緊急警報信号を受信する構成の概略を説明するための図である。放送局２からは、放送信号の一種であるテレビ信号が発せられる。テレビ信号には映像信号及び音声信号が含まれる。テレビ受像機システム１では、テレビ信号をアンテナ３を介して受信することで映像信号及び音声信号に基づく映像及び音声が出力される。このようにしてテレビ受像器システム１により、通常のテレビ放送が視聴可能となっている。テレビ信号に緊急警報信号が多重化されて含まれている場合には、緊急警報信号による本発明特有の処理が可能となっている。
【００２０】
放送局２からのテレビ信号は、現在一般的な地上アナログ放送の他に、地上デジタル放送、衛星アナログ放送、衛星デジタル放送等、どのような形態で送出されていてもよい。アンテナ３は、放送局２から送出されるテレビ信号を受信可能な放送受信用アンテナである。なお、ケーブルテレビの場合には、アンテナ３は不要となるが、アンテナ３に代わって、ケーブルテレビを受信するための保安器等の機構が必要になる。
【００２１】
テレビ受像機システム１は、テレビ受像機１００と１以上の遠隔操作機（例えばリモコン操作機）２００とを備えている。この実施形態では、例として遠隔操作機２００が３個表示されているが、これは何個備えるようにしてもかまわない。各遠隔操作機２００は同じ構成を有している。遠隔操作機２００は、本発明の緊急警報報知装置の機能を有する。このようなテレビ受像機システム１は、通常屋内に設置されアンテナ３により受信したテレビ信号が入力されるようになっている。
【００２２】
テレビ受像機１００は、アンテナ３で受信したテレビ信号に応じて、通常のテレビ放送による音声、映像をユーザに提供するようになっており、この点は通常のテレビ受像機と同様である。またテレビ受像機１００は、テレビ信号から緊急警報信号を抽出して、それに応じた処理を行うようになっている。遠隔操作機２００は、テレビ受像機１００を遠隔操作するための装置であり、テレビ受像機１００の電源のオン、オフ、チャンネル切り替え、音量調節を行う機能を、少なくとも備えている。また、遠隔操作機２００は、ユーザに対して緊急警報信号が発せられたことを、音、振動、或いは視覚的に報知するようになっている。
テレビ受像機１００と遠隔操作機２００とは、いずれも双方向無線通信機能を有しており、所定の周波数の電波を用いた無線通信により互いに通信可能に構成されている。
【００２３】
図２は、テレビ受像機１００の構成を示す図である。このテレビ受像機１００は、通常のテレビ受像機と同様に、チューナ部１０１、映像信号処理部１０２、表示部１０３、音声信号処理部１０４、スピーカ１０５、及び主電源部１０６を備えている。テレビ受像機１００は、このような従来のテレビ受像機としての構成の他に、緊急警報信号を受信するための本発明の特徴的な構成も備えている。緊急警報信号を受信するための構成については後述する。
【００２４】
チューナ部１０１は、アンテナ３を介して受信したテレビ信号の中から、所望とするチャンネルの音声信号及び映像信号の選択・チューニングを行うものである。チューナ部１０１で行われるチューニングは、テレビ受像機１００に設けられる図示しない操作機構によりユーザが所望のチャンネルを選択することで、或いは遠隔操作機２００を用いてユーザが所望のチャンネルを選択することで、テレビ制御部１０８の制御により当該チャンネルの周波数に同調することで行われる。
【００２５】
映像信号処理部１０２は、チューナ部１０１により選択されたチャンネルのテレビ信号に含まれる映像信号から、当該チャンネルで放送中の映像を生成し、これを表示部１０３により表示させるものである。映像信号処理部１０２は、緊急警報信号がある場合には、緊急警報信号に応じた映像を生成して表示部１０３に表示させるようになっている。表示部１０３は、ブラウン管、液晶、プラズマディスプレイ等どのような形式のディスプレイでもよい。また、プロジェクタタイプのテレビ受像機の場合には、映像が所定のスクリーン上に表示されることになるので、表示部１０３からスクリーン上に映像を投影するようになる。
【００２６】
音声信号処理部１０４は、チューナ部１０１により選択されたチャンネルのテレビ信号に含まれる音声信号から、当該チャンネルで放送中の音声を生成し、これをスピーカ１０５を介して出力させるものである。音声信号処理部１０４は、緊急警報信号がある場合には、緊急警報信号に応じた音声を生成してスピーカ１０５に出力させるようになっている。なお音声信号処理部１０４は、テレビ受像機１００に設けられる図示しない操作機構、或いは遠隔操作機２００による操作により、音量調節が行われた場合には、それに応じた音量調節処理を行うように、テレビ制御部１０８により制御されるようになっている。スピーカ１０５はテレビ受像機１００に内蔵されたものであってもよいが、外部に独立して設けられていてもよい。
【００２７】
主電源部１０６は、これらの各構成要素、チューナ部１０１、映像信号処理部１０２、表示部１０３、及び音声信号処理部１０４に電力を供給するものである。なお、図示されていないが主電源部１０６の他に副電源部も設けられており、主電源部１０６がオフになりテレビ受像機１００がスタンバイ状態になっている場合でも、副電源部が必要に応じて微弱電力を供給するようになっている。この仕組みは、現状の赤外線リモコンシステムにおいても利用されているものであるので詳細な説明は割愛する。
【００２８】
緊急警報信号を受信するための構成には、緊急警報信号抽出部１０７、テレビ制御部１０８、テレビ無線送受信部１０９、及びテレビ無線用アンテナ１１０がある。これらは、スタンバイ状態であっても副電源部により電力が供給されるようになっている。なお主電源部１０６がオンのときには、主電源部１０６から電力が供給されていてもよい。
【００２９】
緊急警報信号抽出部１０７は、アンテナ３からチューナ部１０１に送られるテレビ信号に緊急警報信号が多重化されていないかを随時監視しており、緊急警報信号がテレビ信号に多重化されていることを検知すると、テレビ信号から緊急警報信号を抽出するように構成されている。例えば、緊急警報信号がテレビ信号に対して周波数分割多重されている場合、緊急警報信号抽出部１０７は、緊急警報信号に用いられる周波数を常時監視して、上記の動作を行う。緊急警報信号がテレビ信号に対して符号分割多重されている場合、緊急警報信号抽出部１０７は、緊急警報信号用の符号を予め保持し、当該符号を用いてテレビ信号に対して逆拡散処理を行って、緊急警報信号を抽出する。抽出された緊急警報信号は、テレビ制御部１０８へ送られる。
【００３０】
テレビ制御部１０８は、テレビ受像機１００に設けられる図示しない操作機構、遠隔操作機２００、緊急警報信号抽出部１０７から送られる各種信号に応じて、各構成要素の動作を制御するようになっている。
テレビ制御部１０８は、緊急警報信号抽出部１０７から緊急警報信号が送られると、テレビ無線送受信部１０９及びテレビ無線用アンテナ１１０を介して遠隔操作機２００に対して、警報発生を通知するための警報通知信号を無線送信する。また、緊急警報信号抽出部１０７からの緊急警報信号に応じて、主電源部１０６をオンにさせる。また、緊急警報信号抽出部１０７からの緊急警報信号に応じて、音声信号処理部１０４を制御して、音量の調整を行うようにしてもよい。
【００３１】
これらの他にテレビ制御部１０８は、以下のような、従来のテレビ受像機にも備わっている機能を有する。テレビ受像機１００に設けられる図示しない操作機構或いは遠隔操作機２００からチャンネル選択の入力があると、当該チャンネルに同調するようにチューナ部１０１を制御する。テレビ受像機１００に設けられる図示しない操作機構或いは遠隔操作機２００から音量を調整するように指示があると、指示通りの音量になるように音声信号処理部１０４を制御する。テレビ受像機１００に設けられる図示しない操作機構或いは遠隔操作機２００から電源のオン、オフの指示が入力されると、指示通りに主電源部１０６をオン、オフさせる。
【００３２】
テレビ無線送受信部１０９は、遠隔操作機２００との間で所定の周波数帯の電波を用いて無線通信を行うためのものである。テレビ無線送受信部１０９は、遠隔操作機２００を用いたユーザの操作内容（電源のオン、オフ、チャンネル選択、音量調整等）を表す操作指示信号を受信して受信内容をテレビ制御部１０８へ送るとともに、テレビ制御部１０８から警報発生が通知されると、警報通知信号をテレビ無線用アンテナ１１０を介して遠隔操作機２００へ送信するようになっている。
【００３３】
図３は、遠隔操作機２００の構成を示す図である。遠隔操作機２００は、リモコン無線送受信部２０１、リモコン制御部２０２、ブザー２０３、振動器２０４、ＬＥＤ表示部２０５、操作部２０６、リモコン無線用アンテナ２０７を備えている。
【００３４】
リモコン無線送受信部２０１は、リモコン無線用アンテナ２０７を用いて、テレビ受像機１００との間で所定の周波数帯の電波を用いて無線通信を行うためのものである。リモコン無線送受信部２０１は、ユーザにより操作部２０６が操作された際にその操作内容を表す操作指示信号をテレビ受像機１００へ送信するとともに、テレビ受像機１００から送られる警報通知信号を受信するようになっている。受信した警報通知信号は、リモコン制御部２０２に送られるようになっている。
【００３５】
リモコン制御部２０２は、遠隔操作機２００の各構成要素の動作を制御するものである。リモコン制御部２０２は、リモコン無線送受信部２０１から警報通知信号を受け取ると、これに応じてブザー２０３、振動器２０４、ＬＥＤ表示部２０５を制御して、ユーザに緊急警報を報知するようになっている。また、リモコン制御部２０２は、ユーザが操作部２０６を操作すると、その操作内容を表す操作指示信号をリモコン無線送受信部２０１を介してテレビ受像機１００へ送るようになっている。
【００３６】
ブザー２０３は、リモコン制御部２０２の制御により鳴動して、ユーザに緊急警報を報知するものである。振動器２０４は、リモコン制御部２０２の制御により振動して、ユーザに緊急警報を報知するものである。振動器２０４の振動により、遠隔操作機２００自体が振動するようになっている。ＬＥＤ表示部２０５は、リモコン制御部２０２の制御により、例えば点灯して、ユーザに緊急警報を報知するものである。なお、ＬＥＤ表示部２０５は点灯の他に明滅等の様々な態様で報知するようにしてもよい。
【００３７】
ブザー２０３、振動器２０４、ＬＥＤ表示部２０５は、具体的な報知方法は互いに異なるものの、いずれもユーザへの報知手段としての機能を有している。これらは必ずしも３つ揃っている必要はなく、いずれか一つでも備えていればよい。
また、緊急警報の種類（地震、津波等）、或いは緊急度合いがわかるようであれば、それに応じて、その報知の仕方、例えば鳴動の強さ、間隔、振動の強さ、間隔、明滅のタイミング等により、様々な態様でユーザに報知するようにしてもよい。
【００３８】
操作部２０６は、従来のテレビ受像機に備わるリモコン装置の操作部と同様であり、各種ボタンが設けられている。ユーザが所望の機能のボタンを操作することで、当該ボタンに関連づけされた信号がリモコン制御部２０２に送られるようになっている。ユーザの操作内容は、この信号によりリモコン制御部２０２に知られることとなる。
【００３９】
以上のような構成のテレビ受像機システム１において、ユーザは、遠隔操作機２００のブザー２０３、振動器２０４、ＬＥＤ表示部２０５により、緊急警報が発せられたことを知ることができようになる。その動作について図４を参照しつつ説明する。図４は、緊急警報信号が発せられたときの、テレビ受像機システム１の処理流れを示す図である。ここでは、最初、テレビ受像機１００の主電源１０６がオフになっており、スタンバイ状態である。
【００４０】
テレビ受像機１００は、スタンバイ状態でも緊急警報信号抽出部１０７が副電源部から電力の供給を受けているので動作可能である。これにより緊急警報信号抽出部１０７は、常時テレビ信号に緊急警報信号が多重化されているかを監視する（ステップＳ１０）。緊急警報信号抽出部１０７は、テレビ信号に緊急警報信号が多重化されていることを検知すると、テレビ信号から緊急警報信号を抽出する（ステップＳ１０：Y、ステップＳ２０）。抽出された緊急警報信号は、緊急警報信号抽出部１０７からテレビ制御部１０８へ送られる。
【００４１】
テレビ制御部１０８は、緊急警報信号が送られてくると、テレビ無線送受信部１０９により、緊急警報信号を検知したことを表す警報通知信号をテレビ無線用アンテナ１１０を介して送信させる（ステップＳ３０）。以上の処理によりテレビ受像機１００は、警報通知信号により遠隔操作機２００に緊急警報信号を検知したことを報告する。
【００４２】
遠隔操作機２００は、テレビ受像機１００から送信された警報通知信号を、リモコン無線用アンテナ２０７を介してリモコン無線送受信部２０１で受信する（ステップＳ４０）。リモコン無線送受信部２０１は、受信した警報通知信号をリモコン制御部２０２に送る。リモコン制御部２０２は、警報通知信号をリモコン無線送受信部２０１から受け取ると、ブザー２０３、振動器２０４、ＬＥＤ表示部２０５の少なくとも一つを用いて、ユーザに、緊急警報信号が発せられたことを報知する（ステップＳ５０）。このようにして、遠隔操作機２００からユーザへ、緊急警報信号が報知される。なお、当初テレビ受像機１００の電源１０６がオンの場合でも、以上の処理によりテレビ放送を視聴していないユーザに対して緊急警報が発せられたことを報知できる。
【００４３】
テレビ受像機１００は、警報通知信号を遠隔操作機２００へ送信すると、主電源１０６をオンにする。これは、テレビ制御部１０８が、警報通知信号をテレビ無線送受信部１０９から送信させた後に、主電源部１０６に電源オンのための信号を送信することで行われる（ステップＳ６０）。主電源部１０６がオンすると、主電源部１０６から電力が供給される各構成要素、チューナ部１０１、映像信号処理部１０２、表示部１０３、音声信号処理部１０４等が動作可能になる。
【００４４】
各構成要素が動作可能になると、テレビ受像機１００は、緊急警報信号に基づく画像表示、音声出力を行う（ステップＳ７０）。これにより、緊急警報の詳細な情報がユーザに報知される。なお、この際に、音量を上げるようにしてもよい。例えば、テレビ制御部１０８が電源オンのための信号を送信した後に、音声信号処理部１０４に対して音量を所定の大きさまで上げるように指示を行うことで可能になる。
【００４５】
以上の説明では、テレビ受像機１００の主電源部１０６が、緊急警報信号の受信に応じてオンするような処理としたが、従来のように、オフのままであってもよい。この場合、ステップＳ５０で緊急警報信号が発せられていることを知ったユーザが、遠隔操作機２００の操作部を操作して、テレビ受像機１００の主電源部１０６をオンすることになる。例えば、ユーザが操作部２０６上の電源ボタンを操作すると、リモコン制御部２０２はその操作を検知して電源制御を表す操作指示信号を生成し、リモコン無線送受信部２０１を介してテレビ受像機１００側に送信する。テレビ受像機１００は、当該操作指示信号を受信することで主電源部１０６をオンさせる。
【００４６】
その後、ユーザがチャンネル切替ボタン「＋」又は「−」を操作すると、リモコン制御部２０２はそのチャンネル切替ボタンの操作を検知してチャンネル番号のアップ又はダウンを表す操作指示信号を生成し、リモコン無線送受信部２０１を介してテレビ受像機１００側に送信する。テレビ受像機１００は、当該操作指示信号を受信すると、チューナ部１０１におけるチャンネル選択を制御する。同様に、ユーザが音量調節ボタン「小」又は「大」を操作すると、リモコン制御部２０２は音量調節ボタンの操作を検知して音量のアップ又はダウンを表す操作指示信号を生成し、リモコン無線送受信部２０１を介してテレビ受像機１００側に送信する。テレビ受像機１００は、当該操作指示信号を受信すると、音声信号処理部１０４における音量調節処理を制御して所望の音量をスピーカ１０５から出力させる。
【００４７】
このような構成により、緊急警報信号が発せられたときにテレビ受像機１００の電源を即座にオンにし、音量を上げるという操作も行うことができる。テレビ受像機１００の設置場所とは離れた部屋にて就寝していた場合には、まずテレビ受像機１００の電源をオンにし、音量を上げることで音声のみによる災害情報を入手しつつテレビ受像機１００の設置してある部屋に移動して、その後、視覚情報を得るという用い方も可能となる。
【００４８】
テレビ受像機１００から遠隔操作機２００への警報通知信号の送信は、個別に行ってもよく（１：１通信）、また、すべての遠隔操作機２００へ一斉に行うようにしてもよい。遠隔操作機２００からテレビ受像機１００への操作指示信号等の送信は、他の端末との混信を避けるため、それぞれが固有のチャンネル（周波数）を用いて行われる１：１通信であることが好ましい。なお、この種の１：１通信は例えば子機を複数台備えた電話機などで既に確立されているので、ここでは詳細な説明を省略する。
【００４９】
この実施形態では、テレビ受像機１００のリモコンとしても使用可能な遠隔操作機２００を用いているが、遠隔操作機２００は、緊急警報報知のための専用装置であってもよい。専用装置は、例えば遠隔操作機２００から操作部２０６の構成を除いた構成となる。
【００５０】
本実施形態におけるテレビ受像器システムと従来から存するテレビ受像器システムとの大きな違いは、テレビ受像機１００と遠隔操作機２００との間で所定の周波数の電波による無線信号を用いた通信を行う点である。この種の通信で従来から用いられている赤外線通信の場合、障害物が間にあると情報伝達はそこで途絶えることになる、また、信号の到達距離もかなり短い。それに対して、情報伝達媒体として無線信号を用いた場合、テレビ受像機１００と遠隔操作機２００との間に障害物があったとしても、無線シールド機能をもつ材質の障害物でない限りは情報伝達が遮られることはなく、また信号到達距離も赤外線の場合と比較して遥かに長い。例えば、遠隔操作機２００をテレビ受像機１００の配置されている部屋とは異なる部屋に携帯していった場合であっても、警報発生を報知するための警報通知信号を遠隔操作機２００に伝達することができる。そのためにテレビ受像機１００が設置されている部屋とは異なる部屋で就寝中であったとしても、当該部屋に遠隔操作機２００を携帯又は設置しておけば警報通知信号を受信することができる。
【００５１】
以上の説明は、テレビ放送を受信するテレビ受信機システム１により行っていたが、同様の構成で、ラジオ放送を受信するラジオ受信機でも本発明を実施できる。この場合、テレビ受信機１００に備わる映像信号処理部１０２及び表示部１０３を除いた構成のラジオ受信機を、テレビ受像機１００に代えて用いたシステム構成になる。
【図面の簡単な説明】
【００５２】
【図１】本実施形態のテレビ受像機システムにより放送局から緊急警報信号を受信する構成の概略を説明するための図である。
【図２】本実施形態のテレビ受像機の構成を示す図である。
【図３】本実施形態の遠隔操作機の構成を示す図である。
【図４】テレビ受像機システムによる処理流れを示す図である。
【符号の説明】
【００５３】
１      テレビ受像機システム
２      放送局
３      アンテナ
１００  テレビ受像機
１０１  チューナ部
１０２  映像信号処理部
１０３  表示部
１０４  音声信号処理部
１０５  スピーカ
１０６  主電源部
１０７  緊急警報信号抽出部
１０８  テレビ制御部
１０９  テレビ無線送受信部
１１０  テレビ無線用アンテナ
２００  遠隔操作機
２０１  リモコン無線送受信部
２０２  リモコン制御部
２０３  ブザー
２０４  振動器
２０５  ＬＥＤ表示部
２０６  操作部
２０７  リモコン無線用アンテナ
【図１】
2006135789.tif 000003
【図２】
2006135789.tif 000004
【図３】
2006135789.tif 000005
【図４】
2006135789.tif 000006